(57)【要約】【課題】小型化を図りつつ、レンズの移動距離が比較的長い場合にも精度よくレンズ位置を検出可能な光学装置を提供する。【解決手段】レンズ２を保持し、レンズ２の光軸方向に移動する移動枠３を備える光学装置１に、コイル６が印刷された絶縁基板８を光軸に平行に設けるとともに、基板８に対向する平板状の導電部材７を設ける。導電部材７はコイル６への投影面の光軸に直交する方向の幅が光軸方向の位置に応じて変化するように台形状に形成されており、レンズ２の移動に伴ってコイル６のインダクタンスは変化する。ＩＣ９は当該変化に基づいてレンズ２の位置を検出する。【選択図】図１
2006178362.tif 000002
【特許請求の範囲】
【請求項１】
固定部と、
レンズと、
前記レンズを保持し、前記固定部に対して前記レンズの光軸方向に移動するレンズ移動体と、
前記固定部及び前記レンズ移動体のうち一方に設けられ、前記光軸方向に分布するインダクタと、
前記固定部及び前記レンズ移動体のうち他方に設けられ、前記光軸方向に延びて前記インダクタに対向し、前記光軸に直交する方向の幅が前記光軸方向の位置に応じて変化する導電部材と、
前記インダクタのインダクタンスの変化に応じた信号を生成する信号生成手段と、
前記信号生成手段により生成された信号に基づいて前記レンズ移動体の前記固定部に対する位置を検出する位置検出手段と、
を備えた光学装置。
【請求項２】
前記インダクタ及び前記導電部材はそれぞれ、前記レンズの移動領域に対向するように設けられている請求項１に記載の光学装置。
【請求項３】
前記導電部材は更に、前記インダクタとの距離が前記光軸方向の位置に応じて変化する請求項１又は２に記載の光学装置。
【請求項４】
前記インダクタは前記固定部に設けられ、
前記導電部材は前記レンズ移動体に設けられ、
前記レンズ及び前記レンズ移動体の組は同一光軸上に複数設けられ、前記複数の前記レンズ移動体は互いに独立に前記固定部に対して前記光軸方向に移動可能であり、
前記インダクタ、前記導電部材及び前記信号生成手段は前記複数のレンズ移動体に対応して複数設けられ、
前記位置検出手段は前記複数の信号生成手段により生成された信号に基づいて前記複数のレンズ移動体の前記固定部に対する位置をそれぞれ検出し、
前記固定部は前記光軸に平行に設けられる一つの基板を含み、
前記複数のインダクタは前記基板に設けられている
請求項１〜３のいずれか１項に記載の光学装置。
【請求項５】
前記インダクタは前記レンズ移動体に設けられ、
前記導電部材は前記固定部に設けられ、
前記レンズ及び前記レンズ移動体の組は同一光軸上に複数設けられ、前記複数の前記レンズ移動体は互いに独立に前記固定部に対して前記光軸方向に移動可能であり、
前記インダクタ及び前記信号生成手段は前記複数のレンズ移動体に対応して複数設けられ、
前記導電部材は前記複数のインダクタに対向する一つの部材である
請求項１〜３のいずれか１項に記載の光学装置。
【発明の詳細な説明】
【技術分野】
【０００１】
本発明は、カメラ等の光学装置、より詳細には光軸方向にレンズを移動可能であって、当該レンズ位置を検出可能な光学装置に関する。
【背景技術】
【０００２】
レンズを光軸方向に移動可能とした光学装置において、レンズ位置を検出する方法が種々提案されている。
【０００３】
特許文献１では、レンズ移動枠及び固定枠の一方に光軸に直交する平面インダクタ部材を、他方に平面インダクタ部材に対向する平面状の導電部材を設け、平面インダクタ部材と導電部材との距離の変化に応じて変化する平面インダクタ部材のインダクタンスに基づいてレンズ移動枠と固定枠との相対位置を検出する技術が開示されている。なお、インダクタンスの変化は周波数の変化として検出される。
【０００４】
特許文献２では、相対移動する２つの鏡枠の一方に１次コイル、２次コイルを設け、他方に１次コイル、２次コイルに挿通されるコア部材を設けて差動トランスを形成し、レンズ位置を検出する技術が開示されている。また、相対移動する２つの鏡枠のそれぞれに互いに対向する電極を設けてキャパシタを形成し、電極間距離の変化に応じて変化するキャパシタの容量に基づいて鏡枠の位置を検出する技術も開示されている。
【０００５】
なお、レンズの位置検出装置に係る技術ではないが、図７に示すように、回転軸５０１の周囲に、径方向の長さが円周方向の位置に応じて変化する導電性の被検体５０２を設け、高周波コイル５０３から見たインピーダンスの変化に基づいて回転位置を検出する検出装置が知られている。
【０００６】
また、電気回路の性質を利用する位置検出技術ではないが、図８（ａ）の平面図、図８（ｂ）の断面図に示すように、回転軸５１１を中心として回転する回転体５１２に、軸方向へ投影した面の径方向の幅が周方向の位置に応じて変化する磁石５１３を配置し、磁石５１３に対して軸方向において対向するように固定的に設けられた磁束検出センサ５１４の出力に基づいて回転位置を特定する技術、図９（ａ）の平面図、図９（ｂ）の断面図に示すように、回転軸５１１を中心として回転する回転体５２２に、軸方向の高さが周方向の位置に応じて変化する磁石５２３を軸方向に面して設け、磁石５２３に対して軸方向において対向するように固定的に設けられた磁束検出センサ５２４の出力に基づいて回転位置を特定する技術も知られている。
【特許文献１】特開２００４−３４８０６１号公報
【特許文献２】特開平５−５８２３号公報
【発明の開示】
【発明が解決しようとする課題】
【０００７】
特許文献１のように、平面インダクタ部材に対する導電部材の近接離間によるインダクタンス（周波数）の変化に基づいて距離を検出する装置では、図１０に示すように、平面インダクタ部材と導電部材との距離が短い領域では周波数の変化量が比較的大きく、距離が長い領域では周波数の変化量が比較的小さい。従って、平面インダクタ部材と導電部材との相対移動を比較的長い距離に亘って検出しようとすると、平面インダクタと導電部材とが比較的大きく離間したときに位置検出精度が低下する。換言すれば、平面インダクタと導電部材との離間距離が比較的長い場合にも位置検出精度を高くしようとすると、平面インダクタ及び導電部材の面積を大きくせざるを得ない。そして、平面インダクタ及び平面状の導電部材はそれぞれ光軸に対して直交するように設けられているから、平面インダクタ及び導電部材の面積を大きくすれば、レンズの径方向に光学装置が肥大化する。
【０００８】
本発明の目的は、小型化を図りつつ、レンズの移動距離が比較的長い場合にも精度よくレンズ位置を検出可能な光学装置を提供することにある。
【課題を解決するための手段】
【０００９】
本発明の光学装置は、レンズと、前記レンズを保持し、前記固定部に対して前記レンズの光軸方向に移動するレンズ移動体と、前記固定部及び前記レンズ移動体のうち一方に設けられ、前記光軸方向に分布するインダクタと、前記固定部及び前記レンズ移動体のうち他方に設けられ、前記光軸方向に延びて前記インダクタに対向し、前記光軸に直交する方向の幅が前記光軸方向の位置に応じて変化する導電部材と、前記インダクタのインダクタンスの変化に応じた信号を生成する信号生成手段と、前記信号生成手段により生成された信号に基づいて前記レンズ移動体の前記固定部に対する位置を検出する位置検出手段と、を備える。
【００１０】
好適には、前記インダクタ及び前記導電部材はそれぞれ、前記レンズの移動領域に対向するように設けられている。
【００１１】
好適には、前記導電部材は更に、前記インダクタとの距離が前記光軸方向の位置に応じて変化する。
【００１２】
好適には、前記インダクタは前記固定部に設けられ、前記導電部材は前記レンズ移動体に設けられ、前記レンズ及び前記レンズ移動体の組は同一光軸上に複数設けられ、前記複数の前記レンズ移動体は互いに独立に前記固定部に対して前記光軸方向に移動可能であり、前記インダクタ、前記導電部材及び前記信号生成手段は前記複数のレンズ移動体に対応して複数設けられ、前記位置検出手段は前記複数の信号生成手段により生成された信号に基づいて前記複数のレンズ移動体の前記固定部に対する位置をそれぞれ検出し、前記固定部は前記光軸に平行に設けられる一つの基板であり、前記複数のインダクタは前記基板に設けられている。
【００１３】
好適には、前記インダクタは前記レンズ移動体に設けられ、前記導電部材は前記固定部に設けられ、前記レンズ及び前記レンズ移動体の組は同一光軸上に複数設けられ、前記複数の前記レンズ移動体は互いに独立に前記固定部に対して前記光軸方向に移動可能であり、前記インダクタ及び前記信号生成手段は前記複数のレンズ移動体に対応して複数設けられ、前記導電部材は前記複数のインダクタに対向する一つの部材である。
【発明の効果】
【００１４】
本発明の光学装置によれば、小型化を図りつつ、レンズの移動距離が比較的長い場合にも精度よくレンズ位置を検出できる。
【発明を実施するための最良の形態】
【００１５】
第１の実施形態
図１は、本発明の第１の実施形態の光学装置１の要部を模式的に示す図であり、図１（ａ）は斜視図、図１（ｂ）は平面図である。光学装置１は、例えばカメラ等の撮像光学系やファインダ光学系に利用されるものであり、不図示のカメラ本体内部に設けられる。
【００１６】
光学装置１は、レンズ２と、レンズ移動体としての移動枠３とを備えている。移動枠３は、レンズ２の光軸方向に延びるガイド軸４を挟持する挟持部（被ガイド部）３ａと、レンズ２の光軸方向に延びるガイド軸５に挿通される被挿通部（被ガイド部）３ｂとを有しており、ガイド軸４及び５に案内されてカメラ本体等に対して光軸方向に移動可能である。移動枠３は手動で、あるいは、所定の駆動源から駆動力を与えられて光軸方向に移動する。例えば、高分子アクチュエータやピエゾアクチュエータにより駆動される。
【００１７】
光学装置１は、レンズ２の位置を検出するために、基板８に設けられるインダクタとしてのコイル６と、導電部材７と、ＩＣ９とを備えている。
【００１８】
コイル６は、例えば、絶縁基板８にスパイラル状の導体パターンが印刷されることにより形成される。基板８はレンズ２の移動領域に対向するように、光軸に平行に且つ光軸の径方向に直交するように設けられており、基板８に印刷されたコイル６もレンズ２の移動領域に対して対向するように光軸に平行に分布する。また、基板８は不図示のカメラ本体に対して固定的に設けられている。コイル６には例えば銅等の導体を用いてよい。基板８には例えば樹脂、ガラス等の絶縁体を用いてよい。なお、基板８は本発明の固定部として機能する。
【００１９】
導電部材７は、銅等の導電物質を用いた厚さ一様の板により構成されている。導電部材７は、基板８（コイル６）に対向するように、光軸に平行に移動枠３の被挿通部３ｂに設けられており、移動体３の基板８に対する移動に伴って導電部材７もコイル６に対して移動する。
【００２０】
導電部材７は平面形状が台形状に形成され、互いに平行な縁部７ａ、７ｂが光軸に直交するように、縁部７ａ、７ｂに直行する縁部７ｃが光軸に平行になるように配置されている。また、縁部７ａ、７ｂのうち、長い方の縁部７ａはコイル７の直径（光軸に直交する方向の幅）と同等又はこれよりも長く設定され、短い方の辺７ｂはコイル６の直径よりも短く（例えばコイル６の半径程度）設定されている。
【００２１】
従って、図１（ｂ）に示すように、縁部７ａ、７ｂに対して傾斜する縁部７ｄは光軸に対して傾斜するとともにコイル９を横断しており、導電部材７のコイル９への投影面（基板８に直交する方向に投影した面）の光軸に直交する方向の幅は光軸方向の位置に応じて変化する。つまり、光軸方向の一方（図１の左方向）へ向かうほど幅が増加し、他方（図１の右方向）へ向かうほど幅が減少する。これにより、図中において２点鎖線で示すように、導電部材７の光軸方向の移動に伴ってコイル６に対する導電部材７の投影面積は増減する。具体的には、導電部材７が一方（図１の右方向）に移動すると投影面積が増加し、他方（図１の左方向）に移動すると投影面積が減少する。
【００２２】
ＩＣ９は基板８のコイル６が設けられる面とは反対側に設けられ、コイル６に電気的に接続されている。
【００２３】
光学装置１における位置検出の原理を説明する。
【００２４】
コイル６に電流が流れると、静電誘導の効果により導電部材７にも電流が流れる。導電部材７の電流の向きはコイル６の電流の向きとは逆向きであるから、コイル６の電流によって生じる磁力は導電部材の磁力によってある程度打ち消される。従って、コイル６の自己インダクタンスは等価的に減少することになる。
【００２５】
そして、コイル６に対する導電部材７の投影面積が大きくなるほど、コイル６と導電部材７との距離が短くなるほど、導電部材７において静電誘導される電荷は増加し、コイル６の自己インダクタンスは減少する。一方、上述のように、光学装置１では、レンズ２の移動に伴って導電部材７もコイル６に対して移動し、当該移動に伴って導電部材７のコイル６への投影面積は変化するから、コイル６のインダクタンスの変化に基づいてレンズ２の位置を特定することができる。なお、検出精度を向上させるために、コイル６と導電部材７との距離は短く（例えば１ｍｍ）することが望ましい。
【００２６】
コイル６のインダクタンスの変化に基づく位置の特定は、種々の物理量に基づいて行うことができる。例えば、インダクタンスの変化を電圧や周波数の変化として検出することができる。以下では、周波数の変化として検出する例を述べる。
【００２７】
図２は、ＩＣ９の構成の一例を示すブロック図である。コイル６にコンデンサーである集中型キャパシタ１１が直列に接続されてＬＣ回路１７を構成する。ＬＣ回路１７からの出力信号は増幅器１２に入力される。増幅器１２の出力はフィードバック・ネットワーク１３と周波数カウンタ１４に入力される。フィードバック・ネットワークは例えば複数の抵抗を含んで構成され、入力された信号を所定量だけ減衰して出力する。フィードバック・ネットワーク１３の出力信号が、コイル６にポジティブ・フィードバックされることにより、発振器１８を構成する。周波数カウンタ１４はカウントした周波数に応じた信号をバッファ１５に出力し、制御回路１６はバッファ１５に格納されたデータを読み出すことによりレンズ２の位置を特定する。
【００２８】
なお、キャパシタ１１、増幅器１２、フィードバック・ネットワーク１３は、本発明の信号生成手段として機能し、周波数カウンタ１４、バッファ１５、制御回路１６は位置検出手段として機能する。
【００２９】
以上に説明した第１の実施形態によれば、コイル６が設けられる基板８及びコイル６に対向する平面状の導電部材７を光軸に平行に配置し、コイル６と導電部材７との重複する面積の増減によりレンズ位置の検出を行うから、コイル６と導電部材７とを比較的近い位置に保ちつつレンズ位置の検出が可能であり、光学装置の小型化を図りつつ、レンズの移動距離が比較的長い場合にもレンズの位置検出の精度を向上させることができる。特に、基板８（コイル６）及び導電部材７をレンズ２の移動領域に対して対向するように設けていることから、コイル６や導電部材７の面積を大きくしてもレンズの径方向に光学装置が肥大化することがない。
【００３０】
第２の実施形態
図３は、本発明の第２の実施形態の光学装置２１の要部を模式的に示す図であり、図３（ａ）は斜視図、図３（ｂ）は側面図である。第１の実施形態の光学装置１と同様の構成については第１の実施形態と同一符号を付して説明を省略する。
【００３１】
第２の実施形態においては、導電部材２２は、コイル６に平行な方向に見て略直角三角形に形成され、当該直角三角形の直角を構成する平面２２ａがレンズ２の光軸に平行になるように移動枠３の被挿通部３ｂに設けられる。一方、コイル６は第１の実施形態と同様に光軸に平行に設けられ、コイル６には平面２２ａに対して傾斜する傾斜面２２ｂが対向する。従って、傾斜面２２ｂはコイル６に対して傾斜し、導電部材２２とコイル６との距離は光軸方向の位置に応じて変化する。つまり、傾斜面２２ｂの一方（図３の左方）ほど導電部材２２とコイル６との距離は短くなり、他方ほど当該距離は長くなる（図３の右方）。これにより、図３（ｂ）に示すように、レンズ２の光軸方向の移動に伴って導電部材２２とコイル６との距離は変化する。具体的には、レンズ２が光軸方向の一方（図３の左方）に移動すると導電部材２２とコイル６との距離は長くなり、レンズ２が光軸方向の他方（図３の右方）に移動すると導電部材２２とコイル６との距離は短くなる。
【００３２】
上述のように、コイル６のインダクタンスは導電部材との距離により変化する。従って、第１の実施形態と同様に、コイル６のインダクタンスの変化を検出することにより、レンズ２の位置が特定される。
【００３３】
なお、コイル６のインダクタンスの変化は、コイル６を導電部材２２へ投影した領域の影響が大きいのであるから、コイル６と導電部材２２との距離の変化によるインダクタンスの変化は、コイル６と導電部材２２との距離を、コイル６を導電部材２２へ投影した領域に亘って平均した平均距離の変化として捉えることもできる。
【００３４】
以上に説明した第２の実施形態によれば、コイル６が設けられる基板８及びコイル６を光軸に平行に配置するとともに、光軸に沿って延びる導電部材２２を配置し、コイル６と導電部材２２との距離の増減によりレンズ位置の検出を行うから、光学装置の小型化を図りつつ、レンズの移動距離が比較的長い場合にもレンズの位置検出の精度を向上させることができる。
【００３５】
第３の実施形態
図４は、本発明の第３の実施形態の光学装置３１の要部を模式的に示す斜視図である。なお、光学装置３１の要部の平面図は図１（ｂ）と同様であり、側面図は図３（ｂ）と同様である。第１の実施形態の光学装置１と同様の構成については第１の実施形態と同一符号を付して説明を省略する。
【００３６】
第３の実施形態では、導電部材３２は、第１の実施形態の導電部材と第２の実施形態の導電部材とを組み合わせた形状、すなわち、コイル６に直交する方向に見て略台形に形成されるとともに、コイル６に平行な方向であって光軸に直交する方向に見て略直角三角形に形成されている。
【００３７】
従って、レンズ２の移動に伴ってコイル６への導電部材３２の投影面積が変化するとともに、コイル６と導電部材３２との距離も変化する。このため、比較的小さなレンズ２の移動によりコイル６のインダクタンスが比較的大きく変化し、第１及び第２の実施形態に比較してレンズの位置検出の精度が向上する。
【００３８】
第４の実施形態
図５は、本発明の第４の実施形態の光学装置４１の要部を模式的に示す図であり、図５（ａ）は斜視図、図５（ｂ）は平面図である。第１の実施形態の光学装置１と同様の構成については第１の実施形態と同一符号を付して説明を省略する。ただし、第１の実施形態と同様の部材等であって複数設けられるものについては、第１の実施形態と同一の符号にＡ、Ｂの符号を付加している。なお、複数設けられる同一部材等について、特に区別する必要がない場合は、Ａ、Ｂの符号を省略する場合がある。
【００３９】
第４の実施形態では、レンズ２及び移動枠３の組が同一光軸上に２個設けられている。また、これに対応して、コイル６、導電部材７も２個ずつ設けられている。これらレンズ２、移動枠３、コイル６、導電部材７の構成や配置は第１の実施形態と同様である。なお、移動枠３Ａ、３Ｂは互いに独立に光軸上を移動可能である。例えば、移動枠３Ａ、３Ｂはそれぞれに対応して設けられた２個の駆動源によりそれぞれ駆動され、互いに独立に移動する。
【００４０】
図５（ｂ）に示すように、導電部材７Ａの移動範囲と導電部材７Ｂの移動範囲とは互いに重ならないように設定されている。具体的には、導電部材７Ａと導電部材７Ｂとは光軸に直交する方向（図５（ｂ）の上下方向）の位置が互いにずれるように配置されている。換言すれば、導電部材７Ａと導電部材７Ｂは光軸を挟むように配置されている。なお、光軸方向においては、導電部材７Ａの移動範囲と、導電部材７Ｂの移動範囲とは一部重複する。また、コイル６Ａ、６Ｂの位置も導電部材の位置に対応して光軸に直交する方向の位置が互いにずれるように配置されている。
【００４１】
また、導電部材７の光軸に対して傾斜する縁部７ｄは、他方の導電部材が設けられている側（基板８の中央側）に設けられるとともに、互いに平行な縁部７ａ、７ｂのうち、短い縁部７ａが他方の導電部材が設けられている側（基板８の中央側）に設けられている。すなわち、導電部材７の面積を減少させた側を互いに対向させるように配置されている。これにより、一方の導電部材７が他方の導電部材７に対応するコイル６に及ぼす影響が縮小される。
【００４２】
一方、基板８は、レンズ２の数に対応して複数設けられず、単数である。そして単数の基板８にコイル６Ａ、６Ｂが設けられる。
【００４３】
ＩＣ９も単数である。また、その構成も第１の実施形態と同様である。ただし、図２に示した、キャパシタ１１、増幅器１２、フィードバック・ネットワーク１３に対応する部分、すなわち、信号生成手段として機能する部分については、レンズ２の数に対応して２つずつ設けられる。なお、位置検出手段として機能する部分、すなわち、周波数カウンタ１４、バッファ１５、制御回路１６は、それぞれ単数でもよいし、レンズ２の数に対応して２つずつ設けられていてもよい。
【００４４】
以上に説明した第４の実施形態によれば、第１の実施形態と同様の効果が得られる。さらに、複数のレンズに対応して複数の基板を設けることをせず、単数の基板８に複数のコイル６を設けて複数のレンズの位置を検出可能としたことから、光学装置の小型化が図られるともに、コストが抑制される。
【００４５】
第５の実施形態
図６は、本発明の第５の実施形態の光学装置５１の要部を模式的に示す図であり、図６（ａ）は斜視図、図６（ｂ）は平面図である。第１の実施形態の光学装置１と同様の構成については第１の実施形態と同一符号を付して説明を省略する。ただし、第１の実施形態と同様の部材等であって複数設けられるものについては、第１の実施形態と同一の符号にＡ、Ｂの符号を付加している。なお、複数設けられる同一部材等について、特に区別する必要がない場合は、Ａ、Ｂの符号を省略する場合がある。
【００４６】
第５の実施形態では、第４の実施形態と同様に互いに独立に光軸上を移動するレンズ２Ａ、移動枠３Ａの組と、レンズ３Ｂ、移動枠３Ｂの組とが設けられている。ただし、コイル６及び基板８が移動枠３に設けられ、導電部材５２が不図示のカメラ本体に対して設けられている。そして、コイル６及び基板８は、２つのレンズ２に対応して２つずつ設けられ、導電部材は単数である。
【００４７】
第５の実施形態では、コイル６が移動枠３に、導電部材５２が固定部としての不図示のカメラ本体に設けられているが、位置検出の原理は第１の実施形態と同様である。すなわち、導電部材５２はコイル６への投影面の光軸に直交する方向の幅が光軸方向の位置に応じて変化するように形成されており、レンズ２の移動に伴って導電部材５２のコイル６への投影面積は増減し、コイル６のインダクタンスが変化する。このインダクタンスの変化に基づいてレンズの位置検出がなされる。
【００４８】
ＩＣ９は不図示のカメラ本体に設けられ、内部構成は第４の実施形態と同様である。ただし、基板８Ａ、８Ｂにそれぞれ設けるようにしてもよい。
【００４９】
以上に説明した第５の実施形態によれば、第１の実施形態と同様の効果が得られる。さらに、複数のレンズに対応して複数の導電部材を設けることをせず、単数の導電部材により位置検出をしているために、生産工程の簡素化や光学装置の構造強化が図られる。
【００５０】
本発明は以上の第１〜第５の実施形態に限定されず、種々の態様で実施可能である。
【００５１】
レンズは単レンズであっても組み合わせレンズであってもよい。固定部は、レンズ移動体と相対移動するものであればよく、基板やカメラ本体等の光学装置の基体に限定されない。例えばレンズ鏡筒における、移動枠と相対移動する固定枠であってもよい。また、固定部に対するレンズ移動体の移動もガイド軸及び被ガイド部によるものに限定されず、適宜な構成を用いてよい。
【００５２】
インダクタは、起電力を発生する性質を有するものであればよく、コイルに限定されない。例えば、いわゆるメアンダ型の平面インダクタでもよい。また、インダクタは、光軸方向に沿って少なくとも２次元状に分布していればよく、平面状のインダクタに限定されない。例えば、曲面状に分布するインダクタでもよいし、３次元コイルであってもよい。
【００５３】
導電部材のインダクタへの投影面の光軸に直交する方向の幅、あるいは、導電部材とインダクタとの距離における、光軸方向の位置に応じた変化は、当該変化に基づいてレンズ位置を検出できればよく、線形的な変化に限定されない。例えば、第１の実施形態の縁部７ｄを曲線に、第２の実施形態の傾斜面２２ｂを曲面としてもよい。第１の実施形態の縁部７ｄだけでなく、縁部７ｃも光軸に傾斜するようにしてもよい。
【００５４】
インダクタンスと導電部材との光軸方向の距離の変化は、光軸方向におけるインダクタンスと導電部材の表面との距離が変化すればよく、導電部材の厚さを光軸方向の位置に応じて変化させるものに限定されない。例えば、一様厚さの導電部材を平面インダクタンスに対して傾斜して設けてもよい。
【００５５】
インダクタに対する導電部材の投影面積の変化やコイルと導電部材との距離の変化によるインダクタのインダクタンスの変化は、インダクタと導電部材とにより形成されるキャパシタの容量の変化として捉えることもできる。なぜなら、インダクタのインダクタンスの減少は、導電部材において静電誘導される電荷によるものであり、キャパシタの容量が大きくなればインダクタのインダクタンスの減少量も大きくなるからである。従って、本発明は、インダクタと導電部材とにより形成されるキャパシタの容量に基づいてレンズ位置を特定する技術を含む。
【００５６】
第１〜第５の実施形態は適宜組み合わせることが可能である。例えば、第４及び第５の実施形態において第２の実施形態のようにインダクタと導電部材との距離を光軸方向の位置に応じて変化させることによりレンズ位置を検出してもよいし、第４及び第５の実施形態において第３の実施形態のようにインダクタと導電部材との投影面積の変化及び距離の変化を併用する技術を利用してもよい。
【図面の簡単な説明】
【００５７】
【図１】本発明の第１の実施形態の光学装置の要部を模式的に示す図。
【図２】図１の光学装置のＩＣのブロック図。
【図３】本発明の第２の実施形態の光学装置の要部を模式的に示す図。
【図４】本発明の第３の実施形態の光学装置の要部を模式的に示す図。
【図５】本発明の第４の実施形態の光学装置の要部を模式的に示す図。
【図６】本発明の第５の実施形態の光学装置の要部を模式的に示す図。
【図７】従来の位置検出装置を示す図。
【図８】従来の位置検出装置を示す図。
【図９】従来の位置検出装置を示す図。
【図１０】インダクタの検出精度の特性を示す図。
【符号の説明】
【００５８】
８…固定部、２…レンズ、３…レンズ移動体、６…インダクタ、７…導電部材、９…信号生成手段、位置検出手段。
【図１】
2006178362.tif 000003
【図２】
2006178362.tif 000004
【図３】
2006178362.tif 000005
【図４】
2006178362.tif 000006
【図５】
2006178362.tif 000007
【図６】
2006178362.tif 000008
【図７】
2006178362.tif 000009
【図８】
2006178362.tif 000010
【図９】
2006178362.tif 000011
【図１０】
2006178362.tif 000012